(57)【要約】【課題】玉ねぎ等の乾燥・保存の吊り下げ作業に手間がかかり、吊り下げた玉ねぎ等が脱落しやすいことである。【解決手段】同一方向に向いあって伸びる挟持空間を備えた一対の挟み部（１１），（２１）を含んで挟み具（１）を構成し、各々の挟み部から前記挟持空間に向けて左右に押し開いて、板体を延設させるように孔をあけ、前記孔から略交互に保持力強化手段としての立設体（１６），（２６）を形成する。一方の立設体の先端部（１８），（２８）が、他方の立設体の先端部（２８），（１８）よりも基端部側に伸びると好適である。前記挟持空間に向けて板体の板面がなす方向を前記挟持空間が伸びる方向と交差させ、挟持空間の中央近傍部に沿って配設させると好適である。これにより、玉ねぎ等の吊り下げ作業が容易になり、吊り下げた玉ねぎ等が抜け落ちにくい。
2014030240.tif 000002
【特許請求の範囲】
【請求項１】
被挟持物を挟み保持する一対の挟み部と、その離間距離を縮小する方向に付勢する弾発手段とを含んだ挟み具において、
前記一対の挟み部は同一方向に向いあって延伸され、
前記各々の挟み部の間には離間した挟持空間が備えられ、
前記各々の挟み部から前記挟持空間に向けて、保持力強化手段が突出して形成されている、
ことを特徴とする挟み具。
【請求項２】
前記保持力強化手段が立設体とされ、
前記立設体が、前記挟み部の延伸方向の中央近傍部に沿う線上に配設されると共に、各々の挟み部から前記挟持空間に向けて略交互に離間して配設されている、
ことを特徴とする請求項１に記載の挟み具。
【請求項３】
前記一対の挟み部が付勢されて前記挟み部が接した状態で、一方の挟み部の前記立設体の先端部が、他方の挟み部の前記立設体の先端部よりも基端部側に伸びている、
ことを特徴とする請求項１又は請求項２に記載の挟み具。
【請求項４】
前記挟み部の延伸方向に交差する方向において、少なくともいずれかの前記挟み部の内面が前記挟持空間に対して凹部を向けて湾曲して形成され、
前記挟持空間の中央近傍部に沿う離間距離が、前記挟持空間の両側の側縁部に沿う離間距離よりも大きい、
ことを特徴とする請求項１乃至請求項３のいずれか一項に記載の挟み具。
【請求項５】
前記一対の挟み部が薄板の金属板からなり、
前記立設体が、前記金属板を外方から前記挟持空間に向けて押し開いて孔をあけ、前記孔の縁部から延設されて立設された一対の板片である、
ことを特徴とする請求項２乃至請求項４のいずれか一項に記載の挟み具。
【請求項６】
前記一対の板片の板面がなす方向が、前記挟持空間の延伸方向と交差している、
ことを特徴とする請求項５に記載の挟み具。
【請求項７】
前記立設体が、先端が尖った形状に形成されている、
ことを特徴とする請求項２乃至請求項６のいずれか一項に記載の挟み具。
【請求項８】
前記一対の挟み部が付勢された状態で、いずれかの前記側縁部が筋状に接している、
ことを特徴とする請求項１乃至請求項７のいずれか一項に記載の挟み具。
【請求項９】
前記挟み具は、把持部と連結部とを含み、
前記把持部は、前記各々の挟み部の後方部に延伸されて備えられ、
前記連結部は、各々の前記挟み部と前記把持部との間に、向い合う挟み部に向けて立設されて備えられ、
前記各々の連結部は、その略中央部に連結孔を有し、前記連結孔には連結軸が貫通されると共にその両端が膨出されて前記挟み部が連結され、
前記弾発手段が前記連結軸の周りに備えられ、
一方の前記把持部には、先方が湾曲された挟み具吊り下げ部材が軸支可能に装着されている、
ことを特徴とする請求項１乃至請求項８のいずれか一項に記載の挟み具。
【発明の詳細な説明】
【技術分野】
【０００１】
本発明は、農事園芸の収穫物である玉ねぎ等を、吊り下げて乾燥させる際に抜け落ちないようにする挟み具に関するものである。
【背景技術】
【０００２】
野菜の中には、例えば玉ねぎやニンニクのように、収穫後に発芽しないように吊り下げ乾燥され、保存される野菜がある。従来は、これらの数個の茎の部分を、紐で束ねて竿等に結束して吊り下げて乾燥することが行われている。しかし、従来のこうした乾燥作業には手間がかかるほか、時間の経過によって茎が乾燥し萎れて、水分の減少により茎が枯れて折れやすくなり、且つその嵩が縮小するので、茎の結束がゆるみ、玉ねぎ等が抜け落ちることがあった。落下を防止するためには、乾燥状態を確認して、結束し直して吊り下げ作業を繰り返す必要があり、作業に手間がかかっていた。また、一旦、玉ねぎを落下させると、玉ねぎを損傷させるばかりでなく、腐敗を早め、商品価値を低下させることにもつながっていた。【０００３】
こうした事情に鑑み、特許文献１には、玉ねぎ等の複数個の収穫物の茎を挟持して吊り下げることができる農事園芸用の挟持具の技術が開示されている。この挟持具は、玉ねぎを挟持させる一対のグリップと、そのグリップを揺動可能に保持させるように、各々対をなすアームとスプリングとからなる挟持具である。【０００４】
この特許文献１には、一対のグリップ部の内側縁に互いに噛合する歯列を有する挟持具の実施例が開示されている。この実施例によって玉ねぎを吊り下げて乾燥させる場合には、複数の玉ねぎの茎を紐で縛らないで挟持することができるという効果が認められる。しかし、玉ねぎ等の茎が２列に並んだ歯列のみで保持されるため、玉ねぎ等の茎が乾燥して萎れた状態で、茎が折れ又は茎がグリップ部から抜け落ち易いという課題があった。また、風等で玉ねぎが揺れた場合には、歯列が食い込んで茎が折れ易くなるといった課題があった。【０００５】
更に、特許文献２には、被挟持物、例えばネームカードの一方の側の面を同じ方向に向けて吊り下げる技術が開示されている。これは、挟み具をなす一対の開閉片を開閉させる開閉軸の周りに遊嵌させた環状体を設けて、該環状体の側面に軸体を軸動可能に立設させて、挟持具を一方に向くことを可能とさせる技術である。【０００６】
この特許文献２には、カードを挟むように挟持部をやや幅広に設け、その先端に突起を設けて紙を挟み、容易に抜け落ちないようにされた実施例が示されている。しかし、この考案を適用する場合には、挟み具の挟持力に対して、挟まれる物が重い場合には、風等の影響により前記軸で挟持部が回転し、吊り下げ状態が不安定になり、且つ、この技術のように挟持部の先端に設けられただけの突起では、乾燥中に萎れる茎等のような細径の物が保持できず、重い物を吊り下げるのに適していないという課題があった。このように従来技術の挟み具には農事園芸用に適した挟み具がなく、農事園芸用にも使用できる挟み具の提供が求められていた。
【先行技術文献】
【特許文献】
【０００７】
【特許文献１】特開２００１−１２８５４１号公報
【特許文献２】登実３１４５２７４号公報
【発明の概要】
【発明が解決しようとする課題】
【０００８】
本発明が解決しようとする課題は、農事園芸の収穫物である玉ねぎ等の乾燥・保存の吊り下げ作業に手間がかかると共に、吊り下げた後に玉ねぎ等の茎が乾燥により枯れて萎縮し、繊維方向に裂け易くなると共に、風や振動等の影響により折れて脱落しやすいことである。
【課題を解決するための手段】
【０００９】
本発明の第１の発明は、被挟持物を挟み保持する一対の挟み部と、その離間距離を縮小する方向に付勢する弾発手段とを含んだ挟み具において、前記一対の挟み部は同一方向に向いあって延伸され、前記各々の挟み部の間には離間した挟持空間が備えられ、前記各々の挟み部から前記挟持空間に向けて、保持力強化手段が突出して形成されていることを特徴としている。【００１０】
第１の発明によれば、挟み具の一対の挟み部が向い合って同一の方向に延伸されると共に、挟み部の間には離間した挟持空間が備えられ、更に挟持空間には両側の挟み部から保持力強化手段が突出されている。太さのある長く伸びる物を、延伸された挟持空間の中で、挟持空間に沿わせて、且つ、挟み部から突出されて形成された保持力強化手段により滑らないように挟んで保持する。例えば、玉ねぎの茎等の太さのある物が、両側の挟み部の離間空間に挟まれ、保持力強化手段により抜け落ちないように保持される。これにより、長く伸びる物であっても脱落しにくい。【００１１】
また、挟み具に備えられる弾発手段により、一対の挟み部の離間距離が縮小する方向に付勢され、挟み部の付勢とともに、各々の挟み部に突出して形成された保持力強化手段も挟持空間内に向けて付勢される。これにより、被挟持物が乾燥により断面積が縮小しても、保持力強化手段が接し又は食込んだ状態のままとされ、被挟持物が脱落しにくい。【００１２】
ここで、挟持空間の断面形状は限定されない。また、挟み部の材質は限定されず、例えば金属質、木質、樹脂質であってもよく、形状も限定されず、板体であっても、塊体であってもよい。また保持力強化手段は、挟み部の延伸方向に沿って緩やかに湾曲して波状に突出されてもよく、立設体として突出された物でもよい。また、挟み部に貼着、溶接、一体成型、押し抜き等いかなる方法で形成されてもよい。【００１３】
また、保持力強化手段の先端部の形状・材質は限定されない。例えば、立設体の先端部を尖ったものとすれば、被挟持物に先端部が食込み、被挟持物を抜け落ちにくくする。先端部の形状を平坦な形状とすれば、例えば被挟持物が紙片である場合には、紙片に傷をつけず、挟持することができる。更に、先端部に抜け止め機能を有する弾性ゴム材を付設すれば、平坦な薄い被挟持物であっても、抜け落ちることが防止される。【００１４】
本発明の第２の発明は、第１の発明の挟み具において、前記保持力強化手段が立設体とされ、前記立設体が、前記挟み部の延伸方向の中央近傍部に沿う線上に配設されると共に、各々の挟み部から前記挟持空間に向けて略交互に離間して配設されていることを特徴としている。【００１５】
第２の発明によれば、保持力強化手段が立設体とされ、挟持空間の略中央線上に、両側の挟み部から略交互に立設体が離間した位置に突出して配設される。そして、二つの挟み部の双方から略交互に立設体が被挟持物を挟む一方、被挟持物の同一の位置に両面から立設体が食込むことがない。立設体が板体である場合でも、立設体により被挟持物をせん断して、軸方向の断面積を広く損ねることがなく、被挟持物を脱落させにくい。例えば被挟持物が玉ねぎの茎である場合には、その離間した位置に両側から立設体が作用して、茎の近接した位置の繊維を両側から広く破損させることがない。ここで、略交互とは一方の挟み部と他方の挟み部とから被挟持物に略交互に保持力が作用する配置とされればよい。【００１６】
本発明の第３の発明は、第１又は第２の発明の挟み具において、前記一対の挟み部が付勢されて前記挟み部が接した状態で、一方の挟み部の前記立設体の先端部が、他方の挟み部の前記立設体の先端部よりも基端部側に伸びていることを特徴としている。【００１７】
第３の発明によれば、挟み部が接した状態で、挟み部の立設体の先端部が対向する側の挟み部の先端部よりも基端部側に伸びる。これにより、被挟持物が乾燥して萎れた状態となった場合等でも、被挟持物に保持力強化手段である立設体の先端部が押圧し又は食込むように作用され、被挟持物が脱落することが防止される。例えば、玉ねぎの茎等が枯れて繊維を中心とした薄い皮の状態となっても脱落しにくい。【００１８】
本発明の第４の発明は、第１から第３の発明の挟み具において、前記挟み部の延伸方向に交差する方向において、少なくともいずれかの前記挟み部の内面が前記挟持空間に対して凹部を向けて湾曲して形成され、前記挟持空間の中央近傍部に沿う離間距離が、前記挟持空間の両側の側縁部に沿う離間距離よりも大きいことを特徴としている。【００１９】
第４の発明によれば、一方の挟み部の内面が湾曲し、挟持空間に対して凹部を向けて形成されている。ここで、凹部をなす挟み部の幅は限定されず、幅を広くした場合には複数の被挟持物をまとめて挟持することも可能となる。挟み部の他方の内面は、先方部から後方部にかけて、平坦でも、段状に折曲されていてもよく、内方が凸となるように湾曲されて形成されていてもよい。【００２０】
挟持空間の中央近傍の空間の離間距離が、両側の側縁部の離間距離よりも大きく形成された空間とされている。これにより、太さのある被挟持物を挟む場合、例えば玉ねぎの茎のように太さのあるものであっても、被挟持物を挟んだ状態で、中央近傍の離間距離より両側の側縁部の離間距離が狭く、被挟持物が両側の側縁部から脱落しにくい。【００２１】
本発明の第５の発明は、第２から第４の発明の挟み具において、前記一対の挟み部が薄板の金属板からなり、前記立設体が、前記金属板を外方から前記挟持空間に向けて押し開いて孔をあけ、前記孔の縁部から延設されて立設された一対の板片であることを特徴としている。【００２２】
第５の発明によれば、挟み部が薄板の金属板からなっており、挟み部に孔を押し開くようにして、立設体が形成される。ここで押し開くとは、２分割される円錐体を押し当てて筒状に押し開いてもよく、線状切断部を作り、そこから左右に押し開く等してもよい。このように、挟み部への孔の開け方が自由であり、被挟持物に適合した形状の立設体の先端形状が形成しやすい。また、流通されている薄板の金属片からなる挟み具を加工して、容易且つ安価に保持力の高い本発明の挟み具を製造することが可能であり、立設体が破損されにくい。ここで被挟持物に適合した立設体の先端形状の例としては、被挟持物に傷がつきにくくなるような滑らかな線状の形状、被挟持物を強く保持するような粗い線状の形状、被挟持物の一部に引っ掛かるような尖った形状があげられる。【００２３】
本発明の第６の発明は、第５の発明の挟み具において、前記一対の板片の板面がなす方向が、前記挟持空間の延伸方向と交差していることを特徴としている。【００２４】
第６の発明によれば、押し開いて形成した一対の板片の板面がなす方向が、挟持空間が伸びる方向に交差している。これにより、農作物の茎、例えば玉ねぎの茎等を挟持させた場合であっても、茎の繊維方向に交差しているため、板片の細幅が刃として作用して、繊維方向に沿って枯れた茎を裂いて脱落させることがない。【００２５】
本発明の第７の発明は、第２から第６の発明の挟み具において、前記立設体が、先端が尖った形状に形成されていることを特徴としている。【００２６】
第７の発明によれば、先端が尖った立設体であることにより、保持力強化手段としての立設体が被挟持物に食い込み易く、且つ、食込む範囲が限定される。これにより、被挟持物を脱落させにくく、且つ傷つけにくい。被挟持物が紙片である場合には、紙片に小さな傷を残すのみで、紙片は極めて脱落しにくくなる。【００２７】
本発明の第８の発明は、第１から第７の発明の挟み具において、前記一対の挟み部が付勢された状態で、いずれかの前記側縁部が筋状に接していることを特徴としている。【００２８】
第８の発明によれば、薄い平面体、例えば紙片等は、挟持空間内の立設体で保持されると共に筋状に接する側縁部で挟まれて、すり抜けることがないように挟持される。これにより、薄い紙片であっても、すり抜けて抜け落ちにくい。そして、小さな異物の混入を回避するため、針金を曲げて作った紙留めクリップの使用が禁止される食品関係の作業環境であっても、所望の大きさの挟み具に本発明を適用することにより紙片を極めて脱落しにくくし、特殊な作業環境においても書類の整理が容易となる。【００２９】
本発明の第９の発明は、第１から第８の発明の挟み具において、前記挟み具は、把持部と連結部とを含み、前記把持部は、前記各々の挟み部の後方部に延伸されて備えられ、前記連結部は、各々の前記挟み部と前記把持部との間に、向い合う挟み部に向けて立設されて備えられ、前記各々の連結部は、その略中央部に連結孔を有し、前記連結孔には連結軸が貫通されると共にその両端が膨出されて前記挟み部が連結され、前記弾発手段が前記連結軸の周りに備えられ、一方の前記把持部には、先方が湾曲された挟み具吊り下げ部材が軸支可能に装着されていることを特徴としている。【００３０】
第９の発明によれば、汎用されている挟持具であって、把持部が後方に伸びた挟持具に本発明を適用して、挟み部を開閉しやすい挟み具を安価に提供することができる。また、挟み具の吊り下げ部材が把持部に対して軸支され、例えば玉ねぎの茎を挟持部で挟んで吊り下げ部材を竿に吊り下げ乾燥させる場合に、吊り下げ部材に対して把持部を軸動させ、把持部を斜めに傾斜させることが可能にされている。これにより、挟持部の端部から玉ねぎの茎を滑らかに湾曲させて伸びるようにし、玉ねぎが揺れても玉ねぎの茎が折れることがないように吊り下げることが可能である。これにより、重さの重い玉ねぎ等の農作物であっても、その吊り下げ作業を容易且つ確実に行うことが可能となる。吊り下げ部材を軸動させないで使用できることは勿論のことである。
【発明の効果】
【００３１】
本発明の第１の発明によれば、延伸された挟持空間の中で、挟持空間に沿わせて、且つ、保持力強化手段により抜け落ちないように挟んで保持し、長く伸びる物であっても脱落しにくくなる。また、被挟持物が乾燥により断面積が縮小しても、保持力強化手段が接し又は食込んだ状態のままとされ、被挟持物が脱落しにくい。
本発明の第２の発明によれば、保持力強化手段により被挟持物を傷めにくく、立設体が板体である場合でも、立設体により被挟持物をせん断して、軸方向の断面積を広く損ねることがなく、被挟持物を脱落させにくい。
本発明の第３の発明によれば、被挟持物が乾燥して萎れた状態となった場合等でも、被挟持物に保持力強化手段である立設体の先端部が押圧し又は食込むように作用され、被挟持物が脱落することが防止される。
本発明の第４の発明によれば、太さのあるものであっても、被挟持物を挟んだ状態で、中央近傍の離間距離より両側の側縁部の離間距離が狭く、被挟持物が両側の側縁部から脱落しにくい。【００３２】
本発明の第５の発明によれば、挟み部への孔の開け方が自由であり、被挟持物に適合した形状の立設体の先端形状が形成しやすく、且つ立設体が破損されにくい。また、汎用品である薄板の金属片からなる挟持具に本発明を適用して、容易且つ安価に保持力の高い挟み具を製造することが可能である。
本発明の第６の発明によれば、農作物の茎、例えば玉ねぎの茎等を挟持させた場合であっても、茎の繊維方向に交差しているため、板片の細幅が刃として作用して、繊維方向に沿って枯れた茎を裂いて脱落させることがない。
本発明の第７の発明によれば、保持力強化手段としての立設体が被挟持物に食い込み易く、且つ、食込む範囲が限定される。これにより、被挟持物を脱落させにくく、且つ傷つけにくい。
本発明の第８の発明によれば、針金を曲げて作った紙留めクリップの使用が禁止される食品関係の作業環境等であっても、所望の大きさの挟み具に本発明を適用することにより紙片を極めて脱落しにくくし、特殊な作業環境においても書類の整理が容易となる。
本発明の第９の発明によれば、汎用品の挟持具に本発明を適用して、挟み部を操作しやすい挟み具を安価に提供することができる。重さの重い玉ねぎ等の農作物であっても、その吊下げ作業を容易且つ確実に行うことが可能であり、安価に、保持力の高い挟み具が提供できる。そして、挟持部の端部から玉ねぎの茎を滑らかに湾曲させて伸びるようにし、玉ねぎが揺れても玉ねぎの茎が折れることがないように吊り下げることが可能である。これにより、重さの重い玉ねぎ等の農作物であっても、その吊り下げ作業を容易且つ確実に行うことが可能となる。
【図面の簡単な説明】
【００３３】
【図１】挟み具の見上げ斜視図である（実施例１）。
【図２】挟み具の挟持空間の説明図である（実施例１）。
【図３】挟み具の正面図である（実施例１）。
【図４】挟み具の背面図である（実施例１）。
【図５】挟み具の側面図である（実施例１）。
【図６】玉ねぎを吊り下げた状態の説明図である（実施例１）。
【図７】挟み具の正面図及び玉ねぎを吊り下げた状態の説明図である（実施例２）。
【図８】挟み具の正面図及び側面図である（実施例３）。
【００３４】
【図９】斜視図及び玉ねぎを吊り下げた状態の説明図である（実施例４）。
【図１０】挟み具の説明図である（実施例５）。
【図１１】挟み具の正面図である（実施例６）。
【図１２】挟み具の正面図である。
【発明を実施するための形態】
【００３５】
同一方向に向いあって伸び、挟持空間を備えた一対の挟み部とし、各々の挟み部から前記挟持空間に向けて、各々の挟み部から略交互に保持力強化手段としての立設体を突出させた。
【実施例１】
【００３６】
実施例１では、金属薄板が加工されて形成された、互いに凹部を向けて向い合う挟み部からなる挟み具１を、図１から図６を参照して説明する。図１は挟み具の見上げ斜視図、図２は挟み具の挟持空間の説明図、図３は挟み具の正面図、図４は挟み具の背面図、図５は挟み具の側面図、図６は玉ねぎを吊り下げた状態の説明図である。【００３７】
挟み具１は、一対の挟み部１１，２１と把持部１２，２２と連結部１３，２３とからなる挟持部材１０，２０と、吊り下げ部材３０とを含んで構成されている。挟持部材１０，２０及び吊り下げ部材３０は、薄板の金属板からなっている。各々の挟持部材１０，２０は、挟み部１１，２１と把持部１２，２２との間に、向い合う挟持部材２０，１０に向けて連結部１３，２３を立設させ、各々の連結部１３，２３の略中央部には連結孔（図省略）が穿孔されている。【００３８】
連結軸体の周りに弾発手段としてのネジリバネ５０（図２参照）を、各々の挟み部１１，２１が接近する方向に付勢されるように付設させて、各々の前記連結孔に連結軸体４０を貫通させる。そして、前記軸体の両端を膨出させて抜け止めとして、各々の挟持部材１０，２０を連結させる。また、一方の把持部１２の略中央部には孔（図省略）が穿孔され、先方が湾曲された吊り下げ部材３０が前記孔に螺子６０により軸支されている。ここで、弾発手段としてのネジリバネ５０は板バネその他の弾発手段としてもよい。【００３９】
各々の挟み部１１，２１は、把持部１２，２２側から挟み部１１，２１への方向に対して横方向に伸びるように形成され、内方に凹部空間を備えるように湾曲され（図２、図５参照）、先方部１４，２４に沿って筋状に平坦部１５，２５が備えられている。一方の挟み部１１には、挟み部１１の延伸方向の中央近傍部に沿う線上に配設されるように、挟持空間７０側に挟み部１１から延設させて立設体１６が４か所形成されている（図３参照）。前記立設体は、挟み部１１の内方湾曲部に予め４か所の孔が形成された治具をあてて、挟み部１１の外方からその孔の位置に略円錐形の切削工具の尖頭部を押し当てて、両側に押し開くようにして、立設体１６が形成される。また、他方の挟み部２１には、前記４か所の立設体１６の間にそれぞれ挟まれるように、３か所の立設体２６が同様に、各々の前記立設体１６と離間した位置に形成されている（図２、図４参照）。【００４０】
前記立設体１６，２６は、その基端部１７，２７が円形断面形状をなしている。また、先端部１８，２８側は左右に押し開かれ、側面視で略三角形状をなし、先端部が尖った形状とされ、湾曲した板体が立設された状態となっている（図２、図５参照）。先方の平坦部１５，２５が接し、挟み部１１，２１の離間距離が縮小された状態で、各々の立設体の先端部１８，２８（破線想像線で示している）は、一点鎖線で示す挟持空間の中心線を越えて、他方の挟み部の基端部２７，１７の側に伸びている（図５参照）。【００４１】
ここで挟み具１が玉ねぎの茎３２を挟んで吊り下げられた状態を、図６を参照して説明する。把持部１２，２２を指で押して、一対の挟み部１１，２１を開いて、挟み部１１，２１の間の湾曲した挟持空間７０（図２参照）に玉ねぎの茎３２を挟み、挟み部１１，２１を閉じる。玉ねぎを挟んだ挟み部１１，２１はネジリバネ５０により付勢されて、立設体１６，２６が玉ねぎの茎３２に、その両側から食込むようにされて、玉ねぎを挟持して保持する。玉ねぎの茎の繊維３４は、側面視で略三角形状とされた立設体の三角形頂部により（図５参照）、両側に押し開かれ、破断される部分は少なく、乾燥して茎が萎れても、繊維の多くが繋がっているため落下しにくい。【００４２】
また、吊り下げ部材３０には、その下方に螺子止め用の螺旋溝が設けられた孔が形成される。正面側の把持部１２の略中央部にも螺子孔が形成され、その螺子孔を貫通して、吊り下げ部材３０の孔に、把持部の表側から螺子６０が貫通され軸支される。挟み具１は、吊り下げ部材３０を介して竿３１等に引っ掛けて吊り下げられる。挟持部材１０，２０は、吊り下げ部材３０の下方に、螺子６０を介して軸動可能に軸支されることになる。【００４３】
挟み部１１，２１により玉ねぎの茎を挟んだ状態の把持部１２，２２においては、挟み部１１，２１の端部から出た玉ねぎの茎が緩やかに曲がるように螺子６０の位置で挟持部材１０，２０が軸動されて、上方の吊り下げ部材３０で竿３１等に引っ掛けて挟み具１が吊り下げられる。挟み部１１，２１の端部から、玉ねぎの茎３２が緩やかに曲がるように出ているため、玉ねぎの食用部３３が風により揺れ又は玉ねぎの茎３２が萎れても、玉ねぎの茎３２が折れにくく、落下しにくい。また、挟み具１で紙片を挟む場合には、挟み部１１，２１に形成された平坦部１５，２５（図１，図３，図４参照）で線状に紙片を挟むと共に、立設体１６，２６が紙に食込んで保持するため、紙片が容易に抜け落ちることはない。これにより、青果市場等の出荷伝票を吊り下げるのにも好適である。
【実施例２】
【００４４】
実施例２では、挟み部の先方部１１４が後方部１１９よりも狭くなるように、挟み部１１１の端部が斜めに形成された挟み具２を、図７を参照して説明する。図７（Ａ）図は挟み具２の正面図、図７（Ｂ）図は玉ねぎを吊り下げた状態の説明図である。挟み具２は、一対の挟み部１１１（背面側の部材の図及び符号は省略し、正面側の部材の図のみで実施例２を説明する。）と把持部１２と連結部とからなる挟持部材１１０と、吊り下げ部材３０とを含んで構成されている。【００４５】
挟み具２の構成は、挟み具１とは挟み部を除き同一の構成としているため、同一の構成の部分については、図に同一の符号を付し説明を省略する。挟み具２の正面側の挟み部１１１は、挟持空間に凹部を向けて湾曲され、両側に拡幅されて押し開かれた略円形形状の孔が４か所設けられ、孔の基部から挟持空間に向けて立設体１１６が伸び、立設体１１６の先方は尖った形状に形成されている（図２参照）。背面側の挟み部は、挟持空間に凹部を向けて湾曲され、正面側の隣り合う立設体１１６の間に、前記立設体１１６と同様に形成された立設体が３か所、各々の前記立設体１１６と離間した位置に形成されている。【００４６】
ここで挟み具２では、延伸された挟み部１１１の端部は、後方部１１９よりも先方部１１４が狭く形成されている。これにより、挟み具２に挟まれて吊り下げられた玉ねぎの茎３２は、挟み部の端部から緩やかに湾曲されて、下方に玉ねぎの食用部３３を吊り下げる（図７（Ｂ）図参照）。挟み具２によれば、玉ねぎの食用部のように重さのあるものを挟み部に挟んだ場合であっても、把持部に軸支された吊り下げ部材が軸動可能とされなくても、玉ねぎの茎３２が挟み部の端部で折れにくくなるという効果がある。
【実施例３】
【００４７】
実施例３では、各々の挟み部の先方部から後方部までの距離を拡大し、一方の挟み部が内方に凹をなすように湾曲し、他方の挟み部は内方に凸部をなすように湾曲した挟み具３を、図８を参照し説明する。図８（Ａ）図は正面図、図８（Ｂ）図は右側面図を示している。図８（Ａ）図で破線は背面側挟み部の軸体を示し、一点鎖線は円断面形状の被挟持部材、例えば玉ねぎの茎を示している。挟み具３は、一対の挟み部２１１，２２１と把持部１２，２２とからなる挟持部材２１０，２２０と、吊り下げ部材３０とを含んで構成されている。【００４８】
挟み具３の構成は、挟み具１とは挟み部を除き同一の構成としているため、同一の構成の部分については、図に同一の符号を付し説明を省略する。挟み具３の正面側の挟み部２１１は、挟持空間に凹部を向けて湾曲され、挟み部が伸びる方向に沿って、その略中央線に均等に４か所の立設体２１６が配列され形成されている。個々の立設体の形状については挟み具１と同一の構成とされている。また、挟み具３の背面側の挟み部２２１は、挟持空間に凸部を向けて、挟み部が伸びる方向に沿って、その略中央線を挟んだ上下の線に沿って２列に離間して、正面側の隣り合う立設体２１６の間に、均等に３か所の立設体２２６が、前記立設体２１６とは離間して配列され形成されている。【００４９】
ここで挟み具３では、一対の挟み部が同一方向に湾曲して挟持空間をなすように形成されて、正面側の立設体２１６が背面側の立設体２２６に略交互をなすように配列されている。この２つの挟み部の湾曲する曲率を適宜選択することにより、２つの円断面形状の被挟持部材が挟まれて抜け落ちることのない幅の挟持空間を形成させることが可能である。また、２つの被挟持物３５，３５に対して、両側の挟み部から延設される立設体２１６，２２６がそれぞれ食込んで、被挟持物３５，３５を保持する。これにより、２つの円断面形状の被挟持部材を挟む場合であっても、挟み具３によれば、被挟持物が脱落しにくい。
【実施例４】
【００５０】
実施例４では、断面が略三角形状をなす金属クリップを加工して挟み部の両端及び背面板に立設体を形成した挟み具４を、図９を参照して説明する。図９（Ａ）図は斜視図、図９（Ｂ）図は玉ねぎを吊り下げた状態の説明図を示している。図８図で破線は立設体を説明する想像線である。挟み具４は、鋼製の薄板からなる金属クリップであって、一対の挟み部３１１，３２１と、前記一対の挟み部の背面を繋いて弾性手段をなす背面板３３０と、挟み部を開閉する一対の把持部３４０とからなっている。【００５１】
挟み具４では、挟み部３１１，３２１の端部を切開して、挟持空間側に略三角形状をなす立設体３１６，３２６を折り立てている。また、背面板３３０の略中央部に、挟み具１の立設体と同様にして、側面視で略三角形状をなし、先方が尖った形状とされ、湾曲した板体とされた立設体３３１が延設されている。挟み具４では、挟み部の端部に交互に形成される立設体３１６，３２６と、背面板から延設される立設体３３１が、被挟持物に食込んで、被挟持物が抜け落ちないように保持する。【００５２】
次に、図９（Ｂ）図を参照して、玉ねぎの茎３２を挟み具４で挟んだ状態を説明する。図９（Ａ）図及び（Ｂ）図において挟み具４の挟持空間の下方端部は、挟み部３２１の側端が折り立てられていることにより、矩形形状の端部空間とされ（図９（Ａ）図参照）、玉ねぎの茎３２を両側から押し潰すように作用して玉ねぎの茎の繊維３４を傷めにくいと共に、立設体の尖った先端部３１８，３２８が玉ねぎの茎３２に食込んで玉ねぎの食用部３３が抜け落ちにくい。また、背面板３３０から延設される立設体３３１は略三角形状をなし、挟み具１の立設体と同様に、玉ねぎの茎の繊維３４を両側に押し開くようにして保持するため玉ねぎの茎の繊維３４を破断しにくい。これにより、挟持空間の断面形状が略三角形状の金属クリップを加工した挟み具４であっても、玉ねぎの食用部３３が抜け落ちないように保持することが可能である。
【実施例５】
【００５３】
実施例５では、紙片を挟持する樹脂製の挟み具５を、図１０を参照して説明する。図１０（Ａ）図は側面図、図１０（Ｂ）図は正面図、図１０（Ｃ）図は図１０（Ａ）図のＡ−Ａ位置断面図を示している。図１０図で一点鎖線は紙片を示している。挟み具５は、樹脂製からなる挟み具であって、弾性手段をなす環状をなすバネ４５０により挟み部４１１，４２１が接近するように付勢されている。一対の挟み部４１１，４２１と把持部４１２，４２２と連結部４１３，４２３とを含んで挟持部材４１０，４２０が構成される。正面側の挟持部材４１０から延設される連結部４１３に、背面側の挟持部材４２０から延設される連結部４２３が挟まれて、一対の挟み部４１１，４２１は一体に構成される。【００５４】
ここで、各々の挟み部４１１，４２１は、把持部４１２，４２２側から挟み部４１１，４２１への方向に対して横方向に伸びるように形成され、内方に凹部空間を備えて形成され、先方部４１４，４２４に沿って筋状に平坦部４１５，４２５が備えられている。背面側の挟み部４２１の内面には、挟み部の延伸方向の中央近傍部に沿う線上に配設されるように四角柱体をなして、４か所の立設体４２６が離間して形成されている。正面側の挟み部の内面には、背面側の立設体に挟まれるように配設され、四角柱体をなす３か所の立設体４１６が、各々の前記立設体４２６と離間した位置に形成されている。各々の挟み部の先方の平坦部４１５，４２５が接し、挟み部４１１，４２１の離間距離が縮小された状態で、各々の立設体４１６，４２６の先端部は、２点鎖線で示す挟持空間の中心線を越えて、他方の挟み部の基端部側に伸びている。【００５５】
ここで挟み具５が紙片４３０を挟んだ状態を、図１０（Ｂ）図を参照して説明する。把持部４１２，４２２を指で押して、一対の挟み部４１１，４２１を開いて、挟み部の間の湾曲した挟持空間に紙片４３０を挟み、挟み部４１１，４２２を閉じる。紙片を挟んだ挟み部４１１，４２２は環状をなすバネ４５０により付勢されて、立設体４１６，４２６が紙片４３０を両側から挟むように当接して保持する。紙片４３０は、先方部に沿って筋状に備えられた平坦部４１５，４２５で挟まれると共に、隣り合う立設体４１６，４２６の先方の平坦面にやや皴をなすように挟まれ脱落しにくい。挟み具６によれば、紙片４３０に孔をあけないで、脱落しないように保持することが可能である。
【実施例６】
【００５６】
実施例６では、挟み部から玉ねぎを真っ直ぐに伸ばして吊るす挟み具６を、図１１を参照して説明する。図１１は、玉ねぎを吊るした状態を説明する説明図である。挟み具６の構成は、挟み具１とは挟み部の構成が異なることを除き同一の構成である、同一の構成の部分については、図に同一の符号を付し説明を省略する。挟み具６は、把持部１２から連結部１３（図１参照）への方向と、一対の挟み部５１１（以下、背面側の部材の図と符号は省略する。）を同一の方向に伸びるように形成させている。【００５７】
挟み具６の一対の挟み部５１１は、内方に凹部を向けて湾曲して形成され、正面側の挟み部５１１には４か所の立設体が、背面側の挟み部には前記立設体の間に３か所の立設体が、実施例１との立設体と同様にして形成される。挟み具６では、一対の挟み部５１１の両側縁部に、筋状に平坦部５１５，５１６が備えられている。これにより、両側の側縁部５１５，５１６の剛性が高くなり変形しにくくなり、玉ねぎの茎３２を挟み部５１１に挟むことにより茎に立設体が食込んで、玉ねぎの食用部３３が挟み具から外れて落下することが防止される。挟み具６によれば、玉ねぎの茎が短い場合であっても、玉ねぎが落下しないように保持して吊るすことが可能である。【００５８】
（その他の実施例）
・実施例１では、玉ねぎを吊り下げる挟み具として挟持状態を説明したが、玉ねぎ以外の様々な被挟持物にも適用でき、また、吊り下げ部材を付設させなくても保持力の高い挟み具として機能するのは勿論のことである。
・実施例３では２列の立設体としたが、挟み具の幅に応じて列数を増加してもよい。
・実施例５の立設体の先端に抜け止めの弾性樹脂体を貼着することにより、より保持力を強化することが可能である。
・実施例１において、把持部から連結部への方向に対して、挟み部１１を傾斜させて形成した挟み具とすれば、挟み部の端部を斜めに形成せず、また吊り下げ部材と把持部とを軸動可能としなくても玉ねぎの茎を滑らかに湾曲させて保持して吊り下げることが可能である（図１２参照）。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【産業上の利用可能性】
【００５９】
本発明の挟み具は、被挟持物を挟持する挟持空間内に保持力強化手段を備えており、単に農事園芸の収穫物に限定されず、紙や地図等を挟む事務用品としての適用も可能である。
【符号の説明】
【００６０】
１，２，３，４，５，６…挟み具、
１０，２０，１１０，２１０，２２０，４１０，４２０…挟持部材、
１１，２１，１１１，２１１，２２１，３１１，３２１，４１１，４２１…挟み部、
１２，２２，３４０，４１２，４２２…把持部、
１３，２３，４１３，４２３…連結部、
１４，２４，１１４，４１４，４２４…先方部、
１５，２５，４１５，４２５…平坦部、
１６，２６，１１６，２１６，２２６，３１６，３２６，３３１，４１６，４２６…立設体、
１７，２７…基端部、１８，２８，３１８，３２８…先端部、
３０…吊り下げ部材、４０…連結軸体、５０…ネジリバネ、６０…螺子、
７０，３７０…挟持空間、３３０…背面板、４５０…環状をなすバネ、４３０…紙片、
５１５，５１６…側縁部、３１…竿、３２…茎、３３…玉ねぎの食用部、
３４…繊維、３５…被挟持物
【図１】
2014030240.tif 000003
【図２】
2014030240.tif 000004
【図３】
2014030240.tif 000005
【図４】
2014030240.tif 000006
【図５】
2014030240.tif 000007
【図６】
2014030240.tif 000008
【図７】
2014030240.tif 000009
【図８】
2014030240.tif 000010
【図９】
2014030240.tif 000011
【図１０】
2014030240.tif 000012
【図１１】
2014030240.tif 000013
【図１２】
2014030240.tif 000014
【手続補正書】
【提出日】平成24年11月23日(2012.11.23)
【手続補正１】
【補正対象書類名】明細書
【補正対象項目名】００１６
【補正方法】変更
【補正の内容】
【００１６】
本発明の第３の発明は、第２の発明の挟み具において、前記一対の挟み部が付勢されて前記挟み部が接した状態で、一方の挟み部の前記立設体の先端部が、他方の挟み部の前記立設体の先端部よりも基端部側に伸びていることを特徴としている。
【手続補正２】
【補正対象書類名】明細書
【補正対象項目名】００１８
【補正方法】変更
【補正の内容】
【００１８】
本発明の第４の発明は、第２から第３の発明の挟み具において、前記挟み部の延伸方向に交差する方向において、少なくともいずれかの前記挟み部の内面が前記挟持空間に対して凹部を向けて湾曲して形成され、前記挟持空間の中央近傍部に沿う離間距離が、前記挟持空間の両側の側縁部に沿う離間距離よりも大きいことを特徴としている。
【手続補正３】
【補正対象書類名】明細書
【補正対象項目名】００２７
【補正方法】変更
【補正の内容】
【００２７】
本発明の第８の発明は、第４の発明の挟み具において、前記一対の挟み部が付勢された状態で、いずれかの前記側縁部が筋状に接していることを特徴としている。
【手続補正４】
【補正対象書類名】特許請求の範囲
【補正対象項目名】全文
【補正方法】変更
【補正の内容】
【特許請求の範囲】
【請求項１】
被挟持物を挟み保持する一対の挟み部と、その離間距離を縮小する方向に付勢する弾発手段とを含んだ挟み具において、
前記一対の挟み部は同一方向に向いあって延伸され、
前記各々の挟み部の間には離間した挟持空間が備えられ、
前記各々の挟み部から前記挟持空間に向けて、立設体が突出して形成され、
前記立設体が、前記挟み部の延伸方向の中央近傍部に沿う線上に配設されると共に、各々の挟み部から前記挟持空間に向けて略交互に離間して配設されている、
ことを特徴とする挟み具。
【請求項２】
前記一対の挟み部が付勢されて前記挟み部が接した状態で、一方の挟み部の前記立設体の先端部が、他方の挟み部の前記立設体の先端部よりも基端部側に伸びている、
ことを特徴とする請求項１に記載の挟み具。
【請求項３】
前記挟み部の延伸方向に交差する方向において、少なくともいずれかの前記挟み部の内面が前記挟持空間に対して凹部を向けて湾曲して形成され、
前記挟持空間の中央近傍部に沿う離間距離が、前記挟持空間の両側の側縁部に沿う離間距離よりも大きい、
ことを特徴とする請求項１又は請求項２に記載の挟み具。
【請求項４】
前記一対の挟み部が薄板の金属板からなり、
前記立設体が、前記金属板を外方から前記挟持空間に向けて押し開いて孔をあけ、前記孔の縁部から延設されて立設された一対の板片である、
ことを特徴とする請求項１乃至請求項３のいずれか一項に記載の挟み具。
【請求項５】
前記一対の板片の板面がなす方向が、前記挟持空間の延伸方向と交差している、
ことを特徴とする請求項４に記載の挟み具。
【請求項６】
前記立設体が、先端が尖った形状に形成されている、
ことを特徴とする請求項１乃至請求項５のいずれか一項に記載の挟み具。
【請求項７】
前記一対の挟み部が付勢された状態で、いずれかの前記側縁部が筋状に接している、
ことを特徴とする請求項３に記載の挟み具。
【請求項８】
前記挟み具は、把持部と連結部とを含み、
前記把持部は、前記各々の挟み部の後方部に延伸されて備えられ、
前記連結部は、各々の前記挟み部と前記把持部との間に、向い合う挟み部に向けて立設されて備えられ、
前記各々の連結部は、その略中央部に連結孔を有し、前記連結孔には連結軸が貫通されると共にその両端が膨出されて前記挟み部が連結され、
前記弾発手段が前記連結軸の周りに備えられ、
一方の前記把持部には、先方が湾曲された挟み具吊り下げ部材が軸支可能に装着されている、
ことを特徴とする請求項１乃至請求項７のいずれか一項に記載の挟み具。
【国際調査報告】
2014030240.tif 000015
2014030240.tif 000016
2014030240.tif 000017
2014030240.tif 000018